(57)【要約】【課題】装置本体に対する原稿読取装置のロック解除を確実に行うことが可能な画像形成装置を提供する。【解決手段】ロック部材３１は、原稿押さえｈがスキャナー部ｆに対して閉じられた状態のときに開口部１２に挿入である。開口部１２に挿入されたロック部材３１に対して第１のフック部材３２が係合する。第２のロック装置７０は、スライド部材４５と、第２のフック部材４１とを有する。スライド部材４５は、スキャナー部ｆにスライド移動自在に設けられ、レバー部材４９の操作によってロック解除方向の力を受けることによりスライド移動する。第２のフック部材４１は、スライド部材４５の移動とともに移動して装置本体１０との係合を解除可能である。【選択図】図５
2015191203.tif 000002
【特許請求の範囲】
【請求項１】
装置本体に対して開閉可能に設けられた原稿読取装置と、前記原稿読取装置に対して開閉可能に設けられた原稿押さえと、前記原稿読取装置が開閉されるときに前記原稿押さえの開閉をロックする第１のロック装置と、前記原稿読取装置の開閉をロックする第２のロック装置と、を備え、
前記原稿読取装置は、原稿を載置する原稿載置面と同一平面に、前記原稿押さえの開閉をロックするための開口部を有しており、
前記第１のロック装置は、
前記原稿押さえに設けられ、前記原稿押さえが前記原稿読取装置に対して閉じられた状態のときに前記開口部に挿入可能なロック部材と、
前記原稿読取装置に設けられ、前記開口部に挿入された前記ロック部材と前記原稿載置面よりも下方で係合可能な第１のフック部材と、を有し、
前記第２のロック装置は、
前記原稿読取装置にスライド移動自在に設けられ、ロック解除方向の力を受けることによりスライド移動するスライド部材と、
前記スライド部材の移動とともに移動して前記装置本体との係合を解除可能な第２のフック部材とを有するものである画像形成装置。
【請求項２】
前記第２のロック装置は、
前記装置本体に設けられた係合部を更に備え、
前記第２のフック部材は、前記係合部と係合することにより前記原稿読取装置の開閉をロックする請求項１に記載の画像形成装置。
【請求項３】
前記第２のロック装置は、前記原稿読取装置に設けられ、前記第２のフック部材の係合を解除するためのレバー部材を更に備え、
前記スライド部材は、前記レバー部材が操作されたことにより前記レバー部材から前記ロック解除方向の力を受けて前記第２のフック部材とともにスライド移動する請求項１又は２に記載の画像形成装置。
【請求項４】
前記原稿読取装置に設けられ、前記開口部を閉塞する閉塞位置と、前記原稿載置面よりも下方に移動し前記開口部を開放する開放位置との間で移動自在な移動部材を更に備える請求項１から３のいずれかに記載の画像形成装置。
【請求項５】
前記第１のロック装置は、前記原稿読取装置に設けられ、前記移動部材を前記開放位置から前記閉塞位置へ向けて付勢する第１の付勢部材を有し、
前記移動部材は、前記ロック部材の押圧によって前記第１の付勢部材による付勢に抗して前記閉塞位置から前記開放位置に移動する請求項４に記載の画像形成装置。
【請求項６】
前記ロック部材は、前記原稿押さえから突出する突出位置と、前記原稿押さえに没入する没入位置との間で移動自在に設けられている請求項１から５のいずれかに記載の画像形成装置。
【請求項７】
前記第１のロック装置は、前記原稿押さえに設けられ、前記ロック部材を前記没入位置から前記突出位置へ向けて付勢する第２の付勢部材を有し、
前記ロック部材は、前記開口部に挿入される間に異物を挟んだときに前記第２の付勢部材による付勢に抗して前記突出位置から前記没入位置に移動する請求項６に記載の画像形成装置。
【請求項８】
前記第１のフック部材は、前記ロック部材と係合する第１の係合位置と、前記ロック部材との係合を解除する第１の係合解除位置との間で移動自在に設けられており、
前記第１のロック装置は、
前記原稿読取装置に設けられ、前記フック部材を前記第１の係合解除位置から前記第１の係合位置へ向けて付勢する第３の付勢部材と、
前記装置本体に設けられた突起部と、
前記原稿読取装置に設けられ、前記原稿読取装置が前記装置本体に対して閉じられた状態のときに前記突起部と当接し、前記第１のフック部材を前記第３の付勢部材による付勢に抗して前記第１の係合位置から前記第１の係合解除位置に移動させるリンク部材と、を有する請求項１から７のいずれかに記載の画像形成装置。
【発明の詳細な説明】
【技術分野】
【０００１】
本発明は、画像形成装置に関するものである。
【背景技術】
【０００２】
電子写真方式によって用紙に画像を形成する複写機や複合機（ＭＦＰ）等の画像形成装置においては、装置本体の上部に原稿読取装置を備えているものがある。原稿読取装置は、コンタクトガラスの裏側から原稿を照明し、ＣＣＤ（Charge Coupled Device）センサー等を用いて原稿を光学的に読み取る。下記特許文献１には、原稿読取装置を備える画像形成装置が開示されている。
【０００３】
特許文献１の画像形成装置には、装置本体の内部に設けられたドラムユニットやトナーカートリッジ等の交換のために、装置本体に対して原稿読取装置が開閉自在に設けられている。この原稿読取装置が開方向へ持ち上げられると、原稿読取装置によって閉塞されていた装置本体の開口部が開放される。これにより、ユーザーは、当該開口部を介して装置本体の内部にアクセスし、所定の部品の交換作業等を行うことができる（特許文献１の図２参照）。
【０００４】
ところで、原稿読取装置には、原稿を原稿載置面に押さえ付けるための原稿押さえが開閉可能に設けられている。ユーザーが原稿読取装置を開いたときに、原稿押さえが開かれると、原稿押さえが装置本体の後方側に大きく倒れ、画像形成装置全体の重心が移動し、装置本体が後方側に転倒するおそれがある。特に、原稿押さえに原稿給送装置（ＡＤＦ）が付設されている場合には、原稿押さえの重量が大きくなるために、装置本体が後方側に転倒し易くなる。
【０００５】
このため、特許文献１の画像形成装置は、装置本体に対する原稿読取装置の開閉をロックするロック機構、及び原稿読取装置に対する原稿押さえの開閉をロックするロック機構を備えている。
【先行技術文献】
【特許文献】
【０００６】
【特許文献１】特開２０１１−２２７４９５号公報
【発明の概要】
【発明が解決しようとする課題】
【０００７】
しかしながら、装置本体に対する原稿読取装置の開閉をロックするロック機構は、回動軸に設けられたフックと装置本体に設けられた係合部とを係合させる機構であり、前記フックと前記係合部との係合は、前記回動軸を回動させることにより解除するように構成されている。そのため、フックと係合部との係合力が強い場合に、回動軸を回動させたときに回動軸がねじれて、前記フックが動作しなくなり、係合解除できない場合がある。特に、原稿押さえに原稿給送装置（ＡＤＦ）が付設されている場合、原稿読取装置が重くなる。この場合、原稿読取装置を装置本体に対して開きやすくするために、ダンパーやバネなどによって原稿読取装置を開方向へ付勢する構成が用いられる。この構成の場合、前記フックと前記係合部との係合力がより強くなるため、前記フックの動作不良が生じ易い。
【０００８】
本発明は、前記問題点に鑑みてなされたものであり、装置本体に対する原稿読取装置のロック解除を確実に行うことが可能な画像形成装置を提供することを目的とする。
【課題を解決するための手段】
【０００９】
本発明の一の局面に係る画像形成装置は、装置本体に対して開閉可能に設けられた原稿読取装置と、前記原稿読取装置に対して開閉可能に設けられた原稿押さえと、前記原稿読取装置が開閉されるときに前記原稿押さえの開閉をロックする第１のロック装置と、前記原稿読取装置の開閉をロックする第２のロック装置と、を備える。前記原稿読取装置は、原稿を載置する原稿載置面と同一平面に、前記原稿押さえの開閉をロックするための開口部を有している。前記第１のロック装置は、ロック部材と、第１のフック部材と、を有している。前記ロック部材は、前記原稿押さえに設けられ、前記原稿押さえが前記原稿読取装置に対して閉じられた状態のときに前記開口部に挿入可能に構成されている。前記第１のフック部材は、前記原稿読取装置に設けられ、前記開口部に挿入された前記ロック部材と前記原稿載置面よりも下方で係合可能に構成されている。前記第２のロック装置は、スライド部材と、第２のフック部材と、を有する。前記スライド部材は、前記原稿読取装置にスライド移動自在に設けられ、ロック解除方向の力を受けることによりスライド移動する。前記第２のフック部材は、前記スライド部材の移動とともに移動して前記装置本体との係合を解除可能に構成されている。
【発明の効果】
【００１０】
本発明によれば、装置本体に対する原稿読取装置のロック解除を確実に行うことが可能である。
【図面の簡単な説明】
【００１１】
【図１】図１は、本発明の実施形態における複合機の外観を示す斜視図である。
【図２】図２は、本発明の実施形態における複合機の内部構成を示す概略図である。
【図３】図３は、本発明の実施形態におけるスキャナー部の外観を示す平面側斜視図である。
【図４】図４は、本発明の実施形態における原稿押さえの外観を示す底面側斜視図
【図５】図５は、本発明の実施形態における開閉ロックユニットの構成を示す斜視図である。
【図６】図６は、開閉ロックユニットが有する第１のロック装置の内部構成を示す斜視図であり、ロック部材のロック解除状態を示している。
【図７】図７は、第１のロック装置の内部構成を示す斜視図であり、ロック部材のロック状態を示している。
【図８】図８は、第１のロック装置の内部構成を示す断面図であり、ロック部材のロック解除状態を示している。
【図９】図９は、第１のロック装置の内部構成を示す断面図であり、ロック部材のロック状態を示している。
【図１０】図１０（Ａ）及び図１０（Ｂ）は、開閉ロックユニットが備える移動部材の構成及び動作を示す斜視図である。
【図１１】図１１（Ａ）及び図１１（Ｂ）は、移動部材の構成及び動作を示す斜視図である。
【図１２】図１２は、開閉ロックユニットが備える第２のロック装置が備えるスライド部材の構成を示す斜視図である。
【図１３】図１３は、第２のロック装置が備えるスライド部材の構成を示す斜視図である。
【図１４】図１４は、スライド部材の作用を説明するための図であり、（Ａ）にはロック時の動作位置が示されており、（Ｂ）にはロック解除時の動作位置が示されている。
【図１５】図１５（Ａ）及び図１５（Ｂ）は、第２のロック装置が備えるレバー部材の構成及びその作用を説明するための図である。
【図１６】図１６（Ａ）及び図１６（Ｂ）は、レバー部材の構成及びその作用を説明するための図である。
【図１７】図１７は、開閉ロックユニットの作用を説明するための図である。
【図１８】図１８は、ロック部材の作用を説明するための図である。
【発明を実施するための形態】
【００１２】
以下、図面を参照しながら、本発明の一実施形態について説明する。なお、以下では、本発明に係る画像形成装置として、原稿読取機能を備える複合機を例示して説明する。
【００１３】
図１は、本発明の実施形態における複合機Ｐの外観を示す斜視図である。図２は、本発明の実施形態における複合機Ｐの内部構成を示す概略図である。複合機Ｐ（画像形成装置）は、図２に示すように、装置本体１０、排出部ａ、トナー収納部ｂ、画像形成部ｃ、用紙部ｄを備えている。また、複合機Ｐには、下部に位置する用紙部ｄから上部に位置する排出部ａにかけて、搬送部ｅが設けられている。また、複合機Ｐには、排出部ａの上部に、スキャナー部ｆ（原稿読取装置）、操作部ｇ、原稿押さえｈが設けられている。
【００１４】
排出部ａは、所定の画像が形成された用紙（シート材）が搬送部ｅを介して排出されるように構成されている。この排出部ａの底面は傾斜している。そのため、排出部ａに複数枚の用紙が排出された場合に、複数枚の用紙は、その一端側を揃えた状態で排出部ａに積層される。
【００１５】
トナー収納部ｂは、例えば、ブラックトナー（ＢＫ）のトナーコンテナを含み、画像形成部ｃの現像ユニットｃ２にトナーを供給できるように構成されている。
【００１６】
画像形成部ｃは、レーザースキャンニングユニットｃ１、現像ユニットｃ２、ドラムユニットｃ３、転写ユニットｃ４及び定着ユニットｃ５を含んで構成されている。
【００１７】
レーザースキャンニングユニットｃ１は、周知のレーザースキャンニングユニットと同様に、光ビーム発生器、光ビームを走査するポリゴンミラー、走査された光ビームを結像するｆθレンズ等を含んで構成されている。
【００１８】
現像ユニットｃ２は、感光体ドラム１に対してトナーを供給することによって感光体ドラム１の周面に形成された静電潜像を現像する。現像ユニットｃ２は、感光体ドラム１の周面に対向して配置された現像ローラー２を有する。
【００１９】
ドラムユニットｃ３は、感光体ドラム１を有する。感光体ドラム１の周面に、レーザースキャンニングユニットｃ１によって静電潜像が生成される。前記静電潜像は、トナー収納部ｂから現像ユニットｃ２に供給されたトナーによってトナー像として現像される。
【００２０】
感光体ドラム１の周りには、その周面を帯電状態にさせる帯電器３及び転写後にその周面に残存したトナーを除去するクリーナー４等が配置されている。本実施形態の帯電器３及びクリーナー４等は、感光体ドラム１と共にドラムユニットｃ３として着脱自在にユニット化されている。
【００２１】
転写ユニットｃ４は、感光体ドラム１の周面に対向して配置される転写ローラー５を有する。転写ローラー５は、感光体ドラム１を押圧するように設けられている。
【００２２】
したがって、転写ローラー５は、感光体ドラム１が回転駆動すると、それに伴って回転することができる。また、所定のシート材の一例である用紙が搬送部ｅを介して搬送されてきたとき、転写ローラー５は、感光体ドラム１との間にその用紙を介在させた状態で回転されて、用紙を定着ユニットｃ５側へ搬送させることができる。
【００２３】
定着ユニットｃ５は、転写ユニットｃ４の位置よりも搬送部ｅにおいて用紙搬送方向の下流側に設けられている。定着ユニットｃ５は、搬送部ｅの一部に設けられている。定着ユニットｃ５は、その搬送部ｅを搬送される用紙を挟持できるように配置された一対のローラーで構成されている。そして、定着ユニットｃ５は、その一対のローラーによって加圧・加熱して転写ユニットｃ４で転写された用紙上のトナー像を用紙に定着できるように構成されている。
【００２４】
用紙部ｄは、給紙トレイｄ１と、給紙カセットｄ２とを備えている。給紙トレイｄ１は、装置本体１０に対して開閉自在に設けられている。給紙カセットｄ２は、装置本体１０に対して引き出し自在に設けられている。そして、用紙部ｄは、給紙トレイｄ１あるいは給紙カセットｄ２から搬送部ｅへ１枚ずつ用紙を供給できるように構成されている。
【００２５】
搬送部ｅは、下部に位置する用紙部ｄから上部に位置する排出部ａにかけて設けられている。搬送部ｅは、複数の搬送ローラー及びガイド板によって構成されている。そして、この搬送部ｅは、用紙部ｄから供給された用紙を１枚ずつ排出部ａへ向けて搬送できるように構成されている。
【００２６】
スキャナー部ｆは、セットされた原稿を読み取り、その原稿の画像を示す原稿画像データを取得する。スキャナー部ｆは、キャリッジに搭載されたＣＣＤ（Charge Coupled Device）センサー（不図示）を備える。スキャナー部ｆは、コンタクトガラスｆ１（図３参照）上にセットされた原稿、あるいは原稿給送装置ｈ１によって順次給紙される原稿を読み取るように構成されている。スキャナー部ｆは、装置本体１０に対して開閉可能に設けられている（図１７参照）。
【００２７】
操作部ｇは、ユーザーによる操作に応じた信号（操作信号）を出力すると共に、複合機Ｐの状態を示す情報等の各種情報を表示する。操作部ｇは、操作キーｇ１及び操作表示部ｇ２（図１参照）を備えている。操作キーｇ１は、コピースタートキー、コピーストップ／クリアキー、テンキー（数値入力キー）及び機能切替キー等のハードキーである。操作表示部ｇ２は、液晶パネル或いは有機ＥＬパネルの表示画面に対向配置されたタッチパネルであり、操作信号としてユーザーに押下された部位の座標を示す信号を出力する。
【００２８】
原稿押さえｈは、スキャナー部ｆの読取面に原稿を押さえ付ける。原稿押さえｈは、スキャナー部ｆに対して開閉可能に設けられている。原稿押さえｈには、読み取りを行うべき原稿を順次自動給紙する原稿給送装置ｈ１が付設されている。原稿給送装置ｈ１は、セットされた原稿をピックアップローラー（不図示）によってスキャナー部ｆを経由する搬送路（不図示）に連続して給送する。スキャナー部ｆは、コンタクトガラスｆ１とは別にスリット状のコンタクトガラスｆ２（図３参照）を備えており、原稿給送装置ｈ１により自動給送された原稿は、当該スリット状のコンタクトガラスｆ２を介して読み取られる。
【００２９】
上述の構成からなる複合機Ｐは、画像データに対応したレーザー光がレーザースキャンニングユニットｃ１から感光体ドラム１に照射されて、感光体ドラム１上に静電潜像が形成される。そして、前記静電潜像は、供給されたトナーによってトナー像に現像される。そして、この感光体ドラム１上に担持されたトナー像は転写ユニットｃ４で用紙に転写され、その後に、定着ユニットｃ５で加圧・加熱されて定着処理される。最後に、画像が定着された用紙が排出部ａに排出される。
【００３０】
次に、図３〜図１８を参照して、複合機Ｐに設けられたスキャナー部ｆ、原稿押さえｈの開閉ロックユニット５０の構造について詳しく説明する。
【００３１】
図３は、本発明の実施形態におけるスキャナー部ｆの外観を示す平面側斜視図である。図４は、本発明の実施形態における原稿押さえｈの外観を示す底面側斜視図である。
【００３２】
図５は、本発明の実施形態における開閉ロックユニット５０の構成を示す斜視図である。図６及び図７は、開閉ロックユニット５０が備える第１のロック装置６０の内部構成を示す斜視図である。図６は、ロック解除状態を示す図であり、図７はロック状態を示す図である。図８及び図９は、第１のロック装置６０の内部構成を示す断面図である。図８は、ロック解除状態を示す図であり、図９はロック状態を示す図である。図１０及び図１１は、開閉ロックユニット５０が備える移動部材３３の構成及び動作を示す斜視図である。図１２及び図１３は、開閉ロックユニット５０が備える第２のロック装置７０の構成を示す斜視図である。図１４は、スライド部材４５の動作を説明するための図である。図１５及び図１６は、第２のロック装置７０のレバー部材４９の構成及びその作用を説明するための図である。図１５（Ａ）及び図１６（Ａ）には斜視図が示されており、図１５（Ｂ）及び図１６（Ｂ）には上面図が示されている。
【００３３】
図１７は、開閉ロックユニット５０の作用を説明するための図である。図１８は、ロック部材３１の作用を説明するための図である。
【００３４】
上述したように、原稿押さえｈは、スキャナー部ｆに対して開閉可能に設けられている。また、スキャナー部ｆは、図１７に示すように、装置本体１０に対して開閉可能に設けられている。
【００３５】
開閉ロックユニット５０は、スキャナー部ｆに対する原稿押さえｈの開閉をロックする第１のロック装置６０と、装置本体１０に対するスキャナー部ｆの開閉をロックする第２のロック装置７０と、を有する。開閉ロックユニット５０は、第１のロック装置６０の動作と第２のロック装置７０とが連係動作するよう機構的にユニット化したものである（図６及び図７参照）。
【００３６】
第１のロック装置６０は、スキャナー部ｆが開閉されるときに原稿押さえｈの開閉をロックするものである。図３に示すように、スキャナー部ｆには、原稿を載置する原稿載置面１１と同一平面に、原稿押さえｈの開閉をロックするための開口部１２が形成されている。開口部１２は、スキャナー部ｆの前側の角隅部において、上方に開口して形成されている。この開口部１２は、ユーザーが触り易いコンタクトガラスｆ１に対し、スリット状のコンタクトガラスｆ２よりも離間した位置に配置されている。
【００３７】
第１のロック装置６０は、図４に示すように、原稿押さえｈに設けられたロック部材３１を有する。ロック部材３１は、原稿押さえｈがスキャナー部ｆに対して閉じられた状態のときに開口部１２に挿入可能に構成されている。原稿押さえｈの後側には、ヒンジユニット１３が設けられている。ヒンジユニット１３は、図３に示すスキャナー部ｆの後側の開口部１４に取り付けられるものである。このため、原稿押さえｈは、スキャナー部ｆの後側を支点として開閉可能とされている。一方で、ロック部材３１は、原稿押さえｈの前側の角隅部において、下方に突出して設けられている。
【００３８】
また、第１のロック装置６０は、図６及び図７に示すように、スキャナー部ｆに設けられた第１のフック部材３２を有する。第１のフック部材３２は、開口部１２に挿入されたロック部材３１と原稿載置面１１よりも下方で係合可能に構成されている。ロック部材３１には、突出方向と直交する方向に貫通する貫通穴３１ａが設けられている。第１のフック部材３２は、図７に示すように貫通穴３１ａに挿入されることで、ロック部材３１と係合するようになっている。このように、第１のフック部材３２がロック部材３１に係合すると、スキャナー部ｆに対する原稿押さえｈの開閉がロックされる。つまり、スキャナー部ｆに対して原稿押さえｈが開かないようにロックされる。
【００３９】
また、第１のロック装置６０は、移動部材３３を有する。移動部材３３は、開口部１２を閉塞する閉塞位置（図６参照）と、原稿載置面１１よりも下方に移動し開口部１２を開放する開放位置（図７参照）との間で移動自在に構成されている。移動部材３３は、図６に示すように、スキャナー部ｆに固定される開閉ロックユニット５０のフレーム２１に対して上下方向にスライド自在な構成となっている。移動部材３３の上部には、平板形状の蓋部３３ａが設けられている。前記閉塞位置において蓋部３３ａが開口部１２を閉塞し、前記開放位置において蓋部３３が開口部１２を開放する。なお、蓋部３３ａは、開口部１２を下側から閉塞できるサイズに形成されている。
【００４０】
また、第１のロック装置６０は、図８に示すように、スキャナー部ｆに設けられたバネ部材３４（第１の付勢部材）を有する。バネ部材３４は、移動部材３３を前記開放位置から前記閉塞位置へ向かって付勢する。バネ部材３４は、フレーム２１の内部に配置され、移動部材３３を上方へ付勢する構成となっている。具体的には、バネ部材３４は、フレーム２１に設けられたバネ座２１ａと、バネ座２１ａの上側に位置する蓋部３３との間に配置されている。これにより、移動部材３３は、ロック部材３１の押圧によって、バネ部材３４による付勢に抗して前記閉塞位置から前記開放位置に移動可能である。また、移動部材３３は、ロック部材３１の押圧が解除されると、バネ部材３４の付勢力によって前記開放位置から前記閉塞位置へ向かって自動的に上方に移動可能である。なお、バネ部材３４は、移動部材３３を押し上げるだけの軽微な力があればよい。
【００４１】
移動部材３３と当接するロック部材３１は、原稿押さえｈから突出する突出位置（図８及び図９参照）と、原稿押さえｈに没入する没入位置（図１８参照）との間で移動自在に設けられている。ロック部材３１は、原稿押さえｈに形成された開口部１５に対し出没自在に設けられている。ロック部材３１の基端部３１ｂは、図８に示すように、開口部１５の幅よりも大きく形成されており、開口部１５の裏側に係止可能となっている。これにより、ロック部材３１は、原稿押さえｈから抜け落ちることなく、原稿押さえｈの底面側に突出するようになっている。
【００４２】
また、第１のロック装置６０は、原稿押さえｈに設けられたバネ部材３５（第２の付勢部材）を有する。バネ部材３５は、ロック部材３１を没入位置から突出位置へ向かって付勢する。バネ部材３５は、開口部１５の内側に設けられ、ロック部材３１を下方に付勢する構成となっている。これにより、ロック部材３１は、図１８に示すように、開口部１２との間で原稿等の異物１００を挟んだときには、バネ部材３５の付勢に抗して原稿押さえｈに没入可能である。また、ロック部材３１は、平常時では、図８及び図９に示すように、ロック部材３１がバネ部材３５の付勢によって原稿押さえｈから自動的に突出する。このバネ部材３５は、移動部材３３を軽微な力で押し上げるバネ部材３４よりも強い付勢力を有しており、ロック部材３１が移動部材３３に押し負けないようになっている。
【００４３】
第１のフック部材３２は、ロック部材３１と係合可能である。第１のフック部材３２は、ロック部材３１と係合する第１の係合位置（図７及び図９参照）と、ロック部材３１との係合を解除する第１の係合解除位置（図６及び図８参照）との間で移動自在に設けられている。第１のフック部材３２は、支軸３２ａを有しており、支軸３２ａを中心に回動自在に設けられている。支軸３２ａは、図６及び図７に示すように、開閉ロックユニット５０のフレーム２１に回転自在に保持されている。この第１のフック部材３２は、前記第１の合解除位置に位置するとき、移動部材３３の移動経路から退避するようになっている。また、第１のフック部材３２は、前記第１の係合位置に位置するとき、移動部材３３の移動経路に突出して、ロック部材３１の貫通穴３１ａに係合するようになっている。
【００４４】
図１０（Ａ）に示すように、移動部材３３は、胴体部３３ｂを有する。胴体部３３ｂは、上端に蓋部３３ａを有し、その蓋部３３ａから下方へ延びる上下に長い部材である。胴体部３３ｂの下端部３３ｃには、後述のスライド部材４５の係合片４７が挿入可能な開口３３ｄと、係合片４７と係合してスライド部材４５のスライド移動を規制する規制部３３ｅとを有する。開口３３ｄ及び規制部３３ｅは、移動部材３３の下端部３３ｃの側面に設けられている。規制部３３ｅは、開口３３ｄの下方に設けられており、係合片４７を移動部材３３の内側から当接して係合する。
【００４５】
図１０（Ｂ）に示すように、原稿押さえｈが閉じられてロック部材３１によって押圧されると、移動部材３３が前記開放位置に位置する。この場合は、係合片４７が開口３３ｄに対して挿抜可能である。つまり、スライド部材４５は、開口３３ｄに対して接離する方向へスライド移動可能である。言い換えると、装置本体１０に対して原稿押さえｈが閉じられているときは、スライド部材４５はスライド自在である。
【００４６】
一方、図１１（Ａ）に示すように、原稿押さえｈが開けられてロック部材３１の押圧が解除されると、移動部材３３は前記閉塞位置へ向かって上方へ移動する。スライド部材４５の係合片４７が開口３３ｄに挿入された状態のままで移動部材３３が上方へ移動すると、図１１（Ｂ）に示すように、係合片４７の位置が相対的に下方へ移動して係合片４７が規制部３３ｅに達する。つまり、規制部３３ｅが移動部材３３の移動とともに上方へ移動して、係合片４７と係合可能な位置に達する。この状態で、規制部３３ｅは係合片４７と当接して係合し、係合片４７が移動部材３１から離れる方向への移動を規制する。つまり、規制部３３ｅは、係合片４７と係合して、スライド部材をスライド移動させなくする。言い換えると、装置本体１０に対して原稿押さえｈが開けられているときは、係合片４７が規制部３３ｅに係合した位置からスライド部材４５がスライド移動することが規制される。
【００４７】
図８及び図９に示すように、第１のロック装置６０は、スキャナー部ｆに設けられたバネ部材３６（第３の付勢部材）と、装置本体１０に設けられた突起部３７と、スキャナー部ｆに設けられたリンク部材３８と、を有する。バネ部材３６は、第１のフック部材３２を前記第１の係合解除位置から前記第１の係合位置へ向かって付勢する。リンク部材３８は、スキャナー部ｆが装置本体１０に対して閉じられた状態のときに突起部３７に当接し、第１のフック部材３２をバネ部材３６の付勢に抗して前記第１の係合位置から前記第１の係合解除位置に移動させる。バネ部材３６は、フレーム２１などに設けられた支持片２１ｂと、第１フック部材３２の端部３２ｂとの間に設けられている。端部３２ｂは、第１のフック部材３２のフック形状の部分（支軸３２ａよりも上側の部分）に対し支軸３２ａを挟んだ逆側の部分である。バネ部材３６は、支持片２１ｂと端部３２ｂとを連結している引っ張りバネであり、端部３２ｂを支持片２１ｂ側へ引っ張ることにより、前記第１の係合解除位置から前記第１の係合位置に向かう方向へ第１のフック部材３２を付勢している。
【００４８】
突起部３７は、装置本体１０のスキャナー部ｆを載置する面に立設しており、先端が平面の柱形状を有している。この突起部３７は、スキャナーｆの底面に設けられた開口部１６を介して、スキャナーｆの内部に挿入可能となっている。リンク部材３８は、支軸３８ａを有しており、支軸３８ａを中心に回動自在に設けられている。支軸３８ａは、開閉ロックユニット５０のフレーム２１に回転自在に保持されている。リンク部材３８の一端部は、図８に示すように、第１のフック部材３２の端部３２ｂに対しバネ部材３６が連結される側の面に当接可能な構成となっている。また、リンク部材３８の他端部は、突起部３７の先端に当接可能な構成となっている。
【００４９】
これにより、第１のフック部材３２は、図８に示すように、スキャナー部ｆが装置本体１０に対して閉じられた状態のときに、突起部３７と当接するリンク部材３８によって、バネ部材３６の付勢に抗して前記係合解除位置に移動する。また、第１のフック部材３２は、図９に示すように、スキャナー部ｆが装置本体１０に対して開かれた状態のときに、突起部３７との当接が解除されたリンク部材３８を押し返し、前記第１の係合解除位置から前記第１の係合位置へ向かって自動的に移動する。したがって、スキャナー部ｆが装置本体１０に対して閉じられた状態のときには、原稿押さえｈのロックがかからず、一方で、スキャナー部ｆが装置本体１０に対して開かれるときに、原稿押さえｈのロックがかかる。
【００５０】
第２のロック装置７０は、スキャナー部ｆの開閉をロックするものである。第２のロック装置７０は、スキャナー部ｆに設けられる。第２のロック装置７０は、図１２及び図１３に示すように、スライド部材４５と、第２のフック部材４１と、係合片４７と、を有する。スライド部材４５は、長尺な部材で構成されており、スキャナー部ｆの内部で長手方向にスライド可能に支持されている。具体的には、スライド部材４５は、スキャナー部ｆの幅方向に延在して設けられている。第２のフック部材４１及び係合片４７は、スライド部材４５に一体に設けられており、それぞれがスライド部材４５と一体的にスライド移動するようになっている。本実施形態では、第２の六装置７０は、スキャナー部ｆが二つの第２のフック部材４１によって装置本体１０と係合可能な構成となっている。
【００５１】
スライド部材４５の一方の端部４６ａに係合片４７が設けられている。この係合片４７が、開閉ロックユニット５０のフレーム２１を貫通して移動部材３３の下端部３３ｃに係合される。スライド部材４５の他方の端部４６ｂには、カム部４４が設けられている。このカム部４４は、後述するレバー部材４９の動作に連動するものであり、具体的には、レバー部材４９の動作に連動してスライド部材４５をスライドさせるように設けられている。
【００５２】
スライド部材４５には、２つの第２のフック部材４１が設けられている。第２のフック部材４１それぞれは、スライド部材４５の長手方向に隔てた位置に設けられており、スライド部材４５から下方へ突出している。スライド部材４５は、後述する第２の係合位置と第２の係合解除位置との間で変位するようにスライド移動可能に支持されている。図１３に示すように、第２のフック部材４１それぞれには、装置本体１０と上下方向に係合可能な鉤状部４８が設けられている。前記第２の係合位置は、鉤状部４８が装置本体１０と係合する位置であり、前記第２の係合解除位置は、鉤状部４８が装置本体１０との係合を解除する位置である。
【００５３】
図１４（Ａ）に示すように、装置本体１０のスキャナー部ｆを載置する面よりも下方に係合部１７が設けられている。第２のフック部材４１は、スキャナー部ｆが装置本体１０に対して閉じられた状態のときに、係合部１７と係合可能に構成されている。具体的には、スライド部材４５がスライド移動して前記第２の係合位置に配置されると、鉤状部４８が係合部１７の下側に配置される（図１４（Ａ）参照）。これにより、第２のフック部材４１と係合部１７とが係合する。また、図１４（Ｂ）に示すように、スライド部材４５がスライド移動して前記第２の係合解除位置に配置されると、鉤状部４８が係合部１７の下側から外れる。これにより、第２のフック部材４１と係合部１７との係合が解除される。
【００５４】
このようにスライド部材４５が構成されているため、移動部材３３が前記開放位置に位置するときに規制部３３ｅによって係合片４７が係合されず、スライド部材４５の第２の係合解除位置への移動が規制部３３ｅによって規制されない。また、移動部材３３が前記閉塞位置に位置するときにスライド部材４５の第２の係合解除位置への移動が規制される。
【００５５】
図１７に示すように、スキャナー部ｆの後側には、ヒンジユニット１９が設けられている。ヒンジユニット１９は、装置本体１０の後側に取り付けられるものである。このため、スキャナー部ｆは、装置本体１０の後側を支点として開閉可能とされている。ヒンジユニット１９には、装置本体１０に対してスキャナー部ｆを開方向へ付勢するバネやダンパーなどの付勢部材が内蔵されている。このため、ヒンジユニット１９は、スキャナー部ｆが装置本体１０に閉じられた状態で、スキャナー部ｆを開方向へ付勢する。これにより、第２のフック部材４１による係合が解除されると、スキャナー部ｆは、ヒンジユニット１９によって付勢されて、装置本体１０に対して浮き上がった状態で保持される。ユーザーは、この浮き上がった状態を目視することにより、装置本体１０に対してスキャナー部ｆが係合されていないことを容易に確認することができる。
【００５６】
また、第２のロック装置７０は、図１５及び図１６に示すように、第２のフック部材４１の係合を解除するためのレバー部材４９を有する。レバー部材４９は、スキャナー部ｆの底面に沿って奥行き方向にスライド自在に設けられた部材である。レバー部材４９は、スキャナー部ｆの前面に露出される操作部４９ａを有する。レバー部材４９は、操作部４９ａからスキャナー部ｆの奥側へ延出された長尺な樹脂部材であり、その奥側の端部に傾斜面を有するカム部４９ｂが設けられている。レバー部材４９は、スキャナー部ｆに設けられた支持フレーム９１に奥行き方向へスライド移動可能に支持されている。支持フレーム９１には、操作部４９ａを奥側へ付勢するバネ部材９２が設けられている。バネ部材９２によって操作部４９ａが奥側へ付勢され、レバー部材４９が奥側へ付勢される。  
【００５７】
操作部４９ａは、装置本体１０に対するスキャナー部ｆのロックを解除する際に操作される。具体的には、解除のために、操作部４９ａはユーザーによって手前方向（ロック解除方向）に操作される。カム部４９ｂは、操作部４９ａが手前方向へ操作されてレバー部材４９が手前側へ移動したときに、その移動に伴ってスライド部材４５のカム部４４を押圧して、スライド部材４５を開閉ロックユニット５０から離れる方向（ロック解除方向）へスライド移動させる。これにより、スライド部材４５は、前記第２の係合位置から前記第２の係合解除位置に移動する。操作部４９ａの操作が行われなくなると、バネ部材９２によってレバー部材４９は元の位置に戻される。これにより、カム部４９ｂ及びカム部４４を介して、スライド部材４５も前記第２の係合解除位置から前記第２の係合位置に戻される。なお、規制部３３ｅと係合片４７とが係合されていて、スライド部材４５の移動が規制されているとき、操作部４９ａは手前方向へ移動させることができない。この構成により、原稿押さえｈが閉じていない状態（原稿押さえｈがロックできない状態）でのスキャナー部ｆの開閉を防止できるようになっている。
【００５８】
続いて、複合機Ｐにおけるスキャナー部ｆの開閉操作について説明する。
【００５９】
ユーザーは、先ず、図１に示すように、スキャナー部ｆに対して開閉可能に設けられた原稿押さえｈを閉じる。原稿押さえｈが閉じられると、図４に示すロック部材３１が、図３に示す開口部１２に挿入される。開口部１２は、原稿載置面１１と同一平面に設けられており、図１８に示すように、移動部材３３によって閉塞されている。この移動部材３３は、ロック部材３１の押圧によって、バネ部材３４の付勢に抗して前記閉塞位置から前記開放位置に移動する（図８参照）。移動部材３３が下がると、移動部材３３に形成された規制部３３ｅも下がる。図１０（Ａ）に示すように、移動部材３３が前記開放位置に位置するとき、開口３３ｄが係合片４７と対向状態となる。これにより、スライド部材４５のスライド移動の規制が解除され、ユーザーがレバー部材４９の操作部４９ａを操作することが可能となる。
【００６０】
次に、ユーザーは、図３に示すように、スキャナー部ｆの前面に露出する操作部４９ａを手前方向へ引き寄せるように操作されると、図１４（Ｂ）に示すように、カム部４９ｂ及びカム部４４を介して引っ張り方向の力がスライド部材４５をロック解除方向へ移動させる。これにより、第２のフック部材４１と係合部１７との係合が解除される。操作部４９ａの操作により、第２のフック部材４１が係合部１７から外れると、装置本体１０に対するスキャナー部ｆの開閉のロック（第２のロック装置７０によるロック）が解除され、装置本体１０に対してスキャナー部ｆが開閉可能となる。
【００６１】
次に、ユーザーは、図１７に示すように、装置本体１０に対して開閉可能に設けられたスキャナー部ｆを開く。スキャナー部ｆが開かれると、図９に示すように、突起部３７とリンク部材３８との当接が解除される。突起部３７との当接が解除されたリンク部材３８は、バネ部材３６に付勢されている第１のフック部材３２によって押し返される。リンク部材３８を押し返した第１のフック部材３２は、バネ部材３６の付勢によって前記第１の係合解除位置から前記第１の係合位置へ向かって自動的に回動する。
【００６２】
前記第１の係合位置へ向かって回動した第１のフック部材３２は、貫通穴３１ａに挿入され、ロック部材３１と係合する。第１のフック部材３２がロック部材３１に係合すると、スキャナー部ｆに対する原稿押さえｈの開閉のロック（第１のロック装置６０によるロック）がなされる。
【００６３】
このように、スキャナー部ｆに対する原稿押さえｈの開閉がロックされると、図１７に示すように、スキャナー部ｆを開いたときに原稿押さえｈが開かれることがないため、複合機Ｐの全体の重心が後方側に移動することがなく、装置本体１０の転倒を確実に防止することができる。
【００６４】
上述したように、本実施形態の複合機Ｐには開閉ロックユニット５０が設けられているため、移動部材３３の蓋部３３ａによって開口部１２が閉塞される。このため、開口部１２に原稿の端部が落ち込むことによる破損や、開口部１２を介して装置内部に異物（紙屑、埃等）が混入することを防止することができる。
【００６５】
また、本実施形態では、スキャナー部ｆに前記第２の係合位置と前記第２の係合解除位置との間でスライド移動自在なスライド部材４５を設け、そのスライド部材４５に第２のフック部材４１を設けて、装置本体１０に対する開閉のロック／ロック解除を可能とした。具体的には、スキャナー部ｆの開閉のロック／ロック解除はスライド部材４５のスライド移動により実現される。このため、部材を回転させて第２のフック部材４１の係合を解除する構成に比べて、回転方向のねじりによる係合不良又は係合解除不良が防止され、より確実に第２のフック部材４１による係合及び係合解除が可能となる。
【００６６】
また、スライド部材４５のスライド移動に伴いスキャナー部ｆの開閉のロック解除が可能になるため、ヒンジユニット１９に内蔵された付勢部材による付勢力を強くしても、係合解除不良が生じない。このため、ヒンジユニット１９の付勢力を強くして、スキャナー部ｆが開けられたときの装置本体１０に対するスキャナー部ｆの浮き上がりを大きくすることができる。その結果、ユーザーは、この浮き上がった状態を目視により容易に且つ確実に確認することができる。
【００６７】
以上、図面を参照しながら本発明の好適な実施形態について説明したが、本発明は上述の実施形態に限定されるものではない。上述した実施形態において示した各構成部材の諸形状や組み合わせ等は一例であって、本発明の主旨から逸脱しない範囲において設計要求等に基づき種々変更可能である。
【００６８】
例えば、上述の実施形態では、ロック部材が挿入される開口部をスキャナー部の手前側に配置した構成について説明したが、本発明はこの構成に限定されるものではなく、スキャナー部の原稿載置面と同一平面であればどの位置に設けても良い。
【００６９】
また、例えば、上述の実施形態では、移動部材３３がバネ部材３４により移動する構成について説明したが、本発明はこの構成に限定されるものではなく、例えばモーターやソレノイド等の駆動源を用いて移動させる構成であってもよい。他の移動する構成も同様である。
【００７０】
また、例えば、上述の実施形態では、第１のロック装置６０と第２のロック装置７０とを連係動作させる構成について説明したが、本発明はこの構成に限定されるものではなく、各々が独立して動作する構成であってもよい。
【００７１】
また、例えば、上述の実施形態では、画像形成装置として、複合機を例示したが、本発明は、例えば、複写機、プリンター、ファクシミリ装置等の画像形成装置にも適用可能である。
【符号の説明】
【００７２】
Ｐ…複合機（画像形成装置）、ｆ…スキャナー部（原稿読取装置）、ｈ…原稿押さえ、１０…装置本体、１１…原稿載置面、１２…開口部、３１…ロック部材、３２…フック部材、３３…移動部材、３４…バネ部材（第１の付勢部材）、３５…バネ部材（第２の付勢部材）、３６…バネ部材（第３の付勢部材）、３７…突起部、３８…リンク部材、４１…第２のフック部材、４２…規制部（規制部材）、４５・・・スライド部材、５０…開閉ロックユニット、６０…第１のロック装置、７０…第２のロック装置、１００…異物
【図１】
2015191203.tif 000003
【図２】
2015191203.tif 000004
【図３】
2015191203.tif 000005
【図４】
2015191203.tif 000006
【図５】
2015191203.tif 000007
【図６】
2015191203.tif 000008
【図７】
2015191203.tif 000009
【図８】
2015191203.tif 000010
【図９】
2015191203.tif 000011
【図１０】
2015191203.tif 000012
【図１１】
2015191203.tif 000013
【図１２】
2015191203.tif 000014
【図１３】
2015191203.tif 000015
【図１４】
2015191203.tif 000016
【図１５】
2015191203.tif 000017
【図１６】
2015191203.tif 000018
【図１７】
2015191203.tif 000019
【図１８】
2015191203.tif 000020